(57)【要約】【課題】デジタルＴＶキャプチャユニット内の回路構成を簡潔にする。【解決手段】デジタルＴＶチューナモジュール３３Ａ，３３Ｂは、それぞれ、デジタルテレビ放送信号を受信して番組選局及び信号復調を行う。デジタルＴＶ処理回路部３４は、モジュール３３Ａから出力されるＴＳ１信号とモジュール３３Ｂから出力されるＴＳ２信号とを共通に入力してスクランブル解除を含む信号処理を行う。バスインタフェース回路部３５は、デジタルＴＶ処理回路部３４により処理された信号をＰＣＩバスへ伝送する制御を行う。調停回路４０は、ＴＳ１信号とＴＳ２信号とが所定のクロックに同期してパケット単位で交互にデジタルＴＶ処理回路部３４へ伝送されるようモジュール３３Ａ及びモジュール３３Ｂの信号出力動作を制御する。【選択図】      図３
2008011085.tif 000002
【特許請求の範囲】
【請求項１】
コンピュータのシステムバスに電気的に接続可能なデジタルＴＶキャプチャユニットであって、
デジタルテレビ放送信号を受信して番組選局及び信号復調を行う第１のデジタルＴＶチューナモジュールと、
デジタルテレビ放送信号を受信して番組選局及び信号復調を行う第２のデジタルＴＶチューナモジュールと、
前記第１のデジタルＴＶチューナモジュールから出力される第１の出力信号と前記第２のデジタルＴＶチューナモジュールから出力される第２の出力信号とを共通に入力してスクランブル解除を含む信号処理を行う信号処理回路と、
前記信号処理回路により処理された信号を前記システムバスへ伝送する制御を行うバスインタフェース回路と、
前記第１の出力信号と前記第２の出力信号とが所定のクロックに同期してパケット単位で交互に前記信号処理回路へ伝送されるよう前記第１のデジタルＴＶチューナモジュール及び前記第２のデジタルＴＶチューナモジュールの信号出力動作を制御する調停回路と、
を具備することを特徴とするデジタルＴＶキャプチャユニット。
【請求項２】
前記調停回路は、前記第１の出力信号のパケットが連続して伝送される場合の速度もしくは前記第２の出力信号のパケットが連続して伝送される場合の速度の２倍の速度で、前記第１の出力信号のパケットと前記第２の出力信号のパケットとが交互に伝送されるよう制御することを特徴とする請求項１記載のデジタルＴＶキャプチャユニット。
【請求項３】
前記調停回路は、前記第１の復調回路部と前記第２の復調回路部との間に接続されていることを特徴とする請求項１記載のデジタルＴＶキャプチャユニット。
【請求項４】
前記調停回路は、前記第１の復調回路部と前記第２の復調回路部のいずれか一方に内蔵されていることを特徴とする請求項１記載のデジタルＴＶキャプチャユニット。
【請求項５】
前記第１のデジタルＴＶチューナモジュール、前記第２のデジタルＴＶチューナモジュール、前記信号処理回路、前記バスインタフェース回路、及び前記調停回路は、共通のボード上に配置されていることを特徴とする請求項１記載のデジタルＴＶキャプチャユニット。
【請求項６】
システムバスと、
前記システムバスに接続されるデジタルＴＶキャプチャユニットと、
前記デジタルＴＶキャプチャユニットから前記システムバスを通じて伝送されてくる情報の再生処理もしくは記録処理を行う手段と、
を具備する情報処理装置であって、
前記デジタルＴＶキャプチャユニットは、
デジタルテレビ放送信号を受信して番組選局及び信号復調を行う第１のデジタルＴＶチューナモジュールと、
デジタルテレビ放送信号を受信して番組選局及び信号復調を行う第２のデジタルＴＶチューナモジュールと、
前記第１のデジタルＴＶチューナモジュールから出力される第１の出力信号と前記第２のデジタルＴＶチューナモジュールから出力される第２の出力信号とを共通に入力してスクランブル解除を含む信号処理を行う信号処理回路と、
前記信号処理回路により処理された信号を前記システムバス上へ出力する制御を行うバスインタフェース回路と、
前記第１の出力信号と前記第２の出力信号とが所定のクロックに同期してパケット単位で交互に前記信号処理回路へ伝送されるよう前記第１のデジタルＴＶチューナモジュール及び前記第２のデジタルＴＶチューナモジュールの信号出力動作を制御する調停回路と、
を具備することを特徴とする情報処理装置。
【請求項７】
前記調停回路は、前記第１の出力信号のパケットが連続して伝送される場合の速度もしくは前記第２の出力信号のパケットが連続して伝送される場合の速度の２倍の速度で、前記第１の出力信号のパケットと前記第２の出力信号のパケットとが交互に伝送されるよう制御することを特徴とする請求項６記載の情報処理装置。
【請求項８】
前記調停回路は、前記第１の復調回路部と前記第２の復調回路部との間に接続されていることを特徴とする請求項６記載の情報処理装置。
【請求項９】
前記調停回路は、前記第１の復調回路部と前記第２の復調回路部のいずれか一方に内蔵されていることを特徴とする請求項６記載の情報処理装置。
【請求項１０】
コンピュータのシステムバスに電気的に接続可能なデジタルＴＶキャプチャユニットに適用される信号伝送方法であって、
デジタルテレビ放送信号を第１のデジタルＴＶチューナモジュールにより受信して番組選局及び信号復調を行い、
デジタルテレビ放送信号を第２のデジタルＴＶチューナモジュールにより受信して番組選局及び信号復調を行い、
前記第１のデジタルＴＶチューナモジュールから出力される第１の出力信号と前記第２のデジタルＴＶチューナモジュールから出力される第２の出力信号とが所定のクロックに同期してパケット単位で交互に出力されるよう前記第１のデジタルＴＶチューナモジュール及び前記第２のデジタルＴＶチューナモジュールの信号出力動作を制御し、
前記第１の出力信号と前記第２の出力信号とを単一の信号処理回路に共通に入力してスクランブル解除を含む信号処理を行い、
前記信号処理回路により処理された信号をバスインタフェース回路により前記システムバスへ伝送する制御を行う、
ことを特徴とする信号伝送方法。
【発明の詳細な説明】
【技術分野】
【０００１】
本発明は、デジタルテレビ放送信号の受信が可能なデジタルＴＶキャプチャユニット、情報処理装置、および信号伝送方法に関する。
【背景技術】
【０００２】
近年、デジタルテレビ放送に対する関心が益々高まっており、テレビ受像機や録画装置のみならず、パーソナルコンピュータ（ＰＣ）に搭載されるＴＶチューナについてもデジタル放送に対応したものが検討されている。また、ＴＶチューナを２台搭載したユニットに対する需要も増加している。
【０００３】
ＴＶチューナを２台搭載したユニットに関しては、種々なものが提案されている。例えば、特許文献１には、２系統のチューナ回路および復調回路と、各復調回路から出力される信号を処理する信号処理回路とを備えたデジタル放送用受信装置が開示されている。
【特許文献１】特開２００３−３４７９４８号公報
【発明の開示】
【発明が解決しようとする課題】
【０００４】
しかしながら、特許文献１に示されるような従来の信号処理回路は、２系統の復調回路の双方から信号供給を受けた場合には各信号を同時に処理する必要があり、実質的には２系統分の信号処理用の回路構成を必要とする。このような構成は、装置の小型化・消費電力の低減・コストの低減を実現する上で妨げとなる。
【０００５】
本発明は上記実情に鑑みてなされたものであり、回路構成を簡潔にしたデジタルＴＶキャプチャユニット、情報処理装置、および信号伝送方法を提供することを目的とする。
【課題を解決するための手段】
【０００６】
本発明に係るデジタルＴＶキャプチャユニットは、コンピュータのシステムバスに電気的に接続可能なデジタルＴＶキャプチャユニットであって、デジタルテレビ放送信号を受信して番組選局及び信号復調を行う第１のデジタルＴＶチューナモジュールと、デジタルテレビ放送信号を受信して番組選局及び信号復調を行う第２のデジタルＴＶチューナモジュールと、前記第１のデジタルＴＶチューナモジュールから出力される第１の出力信号と前記第２のデジタルＴＶチューナモジュールから出力される第２の出力信号とを共通に入力してスクランブル解除を含む信号処理を行う信号処理回路と、前記信号処理回路により処理された信号を前記システムバスへ伝送する制御を行うバスインタフェース回路と、前記第１の出力信号と前記第２の出力信号とが所定のクロックに同期してパケット単位で交互に前記信号処理回路へ伝送されるよう前記第１のデジタルＴＶチューナモジュール及び前記第２のデジタルＴＶチューナモジュールの信号出力動作を制御する調停回路とを具備することを特徴とする。
【０００７】
本発明に係る情報処理装置は、システムバスと、前記システムバスに接続されるデジタルＴＶキャプチャユニットと、前記デジタルＴＶキャプチャユニットから前記システムバスを通じて伝送されてくる情報の再生処理もしくは記録処理を行う手段と具備する情報処理装置であって、前記デジタルＴＶキャプチャユニットは、デジタルテレビ放送信号を受信して番組選局及び信号復調を行う第１のデジタルＴＶチューナモジュールと、デジタルテレビ放送信号を受信して番組選局及び信号復調を行う第２のデジタルＴＶチューナモジュールと、前記第１のデジタルＴＶチューナモジュールから出力される第１の出力信号と前記第２のデジタルＴＶチューナモジュールから出力される第２の出力信号とを共通に入力してスクランブル解除を含む信号処理を行う信号処理回路と、前記信号処理回路により処理された信号を前記システムバス上へ出力する制御を行うバスインタフェース回路と、前記第１の出力信号と前記第２の出力信号とが所定のクロックに同期してパケット単位で交互に前記信号処理回路へ伝送されるよう前記第１のデジタルＴＶチューナモジュール及び前記第２のデジタルＴＶチューナモジュールの信号出力動作を制御する調停回路とを具備することを特徴とする。
【０００８】
本発明に係る信号伝送方法は、コンピュータのシステムバスに電気的に接続可能なデジタルＴＶキャプチャユニットに適用される信号伝送方法であって、デジタルテレビ放送信号を第１のデジタルＴＶチューナモジュールにより受信して番組選局及び信号復調を行い、デジタルテレビ放送信号を第２のデジタルＴＶチューナモジュールにより受信して番組選局及び信号復調を行い、前記第１のデジタルＴＶチューナモジュールから出力される第１の出力信号と前記第２のデジタルＴＶチューナモジュールから出力される第２の出力信号とが所定のクロックに同期してパケット単位で交互に出力されるよう前記第１のデジタルＴＶチューナモジュール及び前記第２のデジタルＴＶチューナモジュールの信号出力動作を制御し、前記第１の出力信号と前記第２の出力信号とを単一の信号処理回路に共通に入力してスクランブル解除を含む信号処理を行い、前記信号処理回路により処理された信号をバスインタフェース回路により前記システムバスへ伝送する制御を行うことを特徴とする。
【発明の効果】
【０００９】
デジタルＴＶキャプチャユニット内の回路構成を簡潔にすることができる。
【発明を実施するための最良の形態】
【００１０】
以下、図面を参照して、本発明の実施形態を説明する。  
まず、図１および図２を参照して、本発明の一実施形態に係る情報処理装置の構成について説明する。この情報処理装置は、例えば、ノートブック型パーソナルコンピュータ１０として実現されている。
【００１１】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１３】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生、視聴及び記録を行うためのＴＶ機能を起動するためのボタンである。ＴＶ起動ボタン１５Ａがユーザによって押下された時、ＴＶ機能を実行するためのＴＶ再生アプリケーションが自動的に起動される。ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのビデオ再生アプリケーションが自動的に起動される。
【００１４】
次に、図２を参照して、本コンピュータ１０のシステム構成について説明する。
【００１５】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、デジタルＴＶキャプチャユニット１２３、エンベデッドコントローラ／キーボードコントローラＩＣ（ＥＣ／ＫＢＣ）１２４、およびネットワークコントローラ１２５等を備えている。
【００１６】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）、および再生アプリケーション２０１のような各種アプリケーションプログラムを実行する。
【００１７】
再生アプリケーション２０１は、ＰＣＩバスを介してデジタルＴＶキャプチャユニット１２３から伝送されてくる動画像ストリームを表示装置などを通じて再生する処理（ＭＰＥＧ２に準拠するデコード処理も含む）を行う機能を備えている。そのほか、ＨＤＤ１２１やＯＤＤ１２２などに記録されているデジタルＴＶ放送番組などの動画コンテンツ（例えば、Ｈ．２６４／ＡＶＣ規格で定義された符号化方式で圧縮符号化されたもの）をデコードして再生する処理を行う機能も備えている。
【００１８】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１９】
ノースブリッジ１１２は、ＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２０】
グラフィクスコントローラ１１４は、本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データをＬＣＤ１７に表示する。
【００２１】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、デジタルＴＶキャプチャユニット１２３を制御する機能、およびＢＩＯＳ−ＲＯＭ１２０をアクセス制御するための機能も有している。
【００２２】
ＨＤＤ１２１は、各種ソフトウェア及びデータを格納する記憶装置である。光ディスクドライブ（ＯＤＤ）１２２は、ビデオコンテンツが格納されたＤＶＤ、ＣＤなどの記憶メディアを駆動するためのドライブユニットである。デジタルＴＶキャプチャユニット１２３は、ＴＶ放送番組のデータを外部から受信するための受信装置（チューナ装置）を含んでいる。
【００２３】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。本コンピュータ１０の各コンポーネントに供給される動作電源は、本コンピュータ１０に内蔵されたバッテリ１２６、またはＡＣアダプタ１２７を介して外部から供給される外部電源から生成される。
【００２４】
さらに、エンベデッドコントローラ／キーボードコントローラＩＣ（ＥＣ／ＫＢＣ）１２４は、ユーザによるＴＶ起動ボタン１５Ａ、ＤＶＤ／ＣＤ起動ボタン１５Ｂの操作に応じて、本コンピュータ１０をパワーオンすることもできる。ネットワークコントローラ１２５は、例えばインターネットなどの外部ネットワークとの通信を実行する通信装置である。
【００２５】
図３は、図１中に示されるデジタルＴＶキャプチャユニット１２３のハードウェア構成の一例を示すブロック図である。
【００２６】
デジタルＴＶキャプチャユニット１２３は、ＰＣＩバス（システムバス）に電気的に接続可能なボード状のユニットである。このデジタルＴＶキャプチャユニット１２３は、ＰＣＩバスに対して着脱可能に接続されるものであってもよいし、固定的に接続されるものであってもよい。
【００２７】
上記デジタルＴＶキャプチャユニット１２３においては、例えば１枚の共通するボード上に、デジタルＴＶチューナモジュール（Ａ）３３Ａ、デジタルＴＶチューナモジュール（Ｂ）３３Ｂ、デジタルＴＶ処理回路部３４、バスインタフェース回路部３５、調停回路４０等といった各種の回路群が配置されている。
【００２８】
上記デジタルＴＶチューナモジュール（Ａ）３３Ａは、デジタルテレビ放送信号を受信して番組選局及び信号復調を行うものであり、ＲＦチューナ回路部（Ａ）３１Ａおよびデジタル復調回路部（Ａ）を含んでいる。ＲＦチューナ回路部（Ａ）３１Ａには、アンテナ３０Ａが接続される。同様に、上記デジタルＴＶチューナモジュール（Ｂ）３３Ｂは、デジタルテレビ放送信号を受信して番組選局及び信号復調を行うものであり、ＲＦチューナ回路部（Ｂ）３１Ｂおよびデジタル復調回路部（Ｂ）を含んでいる。ＲＦチューナ回路部（Ｂ）３１Ｂには、アンテナ３０Ｂが接続される。
【００２９】
アンテナ３０Ａは、各種の放送局から伝送される地上波デジタルテレビ放送信号などの放送波を受けてこれを電気信号に変換し、ＲＦ信号としてＲＦチューナ回路部（Ａ）３１Ａへ伝えるものである。ＲＦチューナ回路部（Ａ）３１Ａは、アンテナ３０Ａから送られてくるＲＦ信号に基づき、指定されたチャンネルのチューニング（番組の選局）を行い、チューニング後の信号を中間周波数信号（ＩＦ信号）としてデジタル復調回路部（Ａ）３２Ａへ伝えるものである。デジタル復調回路部（Ａ）３２Ａは、ＲＦチューナ回路部（Ａ）３１Ａから送られてくるＩＦ信号に基づき、信号復調処理や誤り訂正処理を行い、ＭＰＥＧ２ ＴＳに準拠するトランスポートストリーム信号（ＴＳ１信号）を生成して、これを調停回路４０の制御のもとで出力するものである。
【００３０】
同様に、アンテナ３０Ｂは、各種の放送局から伝送される地上波デジタルテレビ放送信号などの放送波を受けてこれを電気信号に変換し、ＲＦ信号としてＲＦチューナ回路部（Ｂ）３１Ｂへ伝えるものである。ＲＦチューナ回路部（Ｂ）３１Ｂは、アンテナ３０Ｂから送られてくるＲＦ信号に基づき、指定されたチャンネルのチューニング（番組の選局）を行い、チューニング後の信号を中間周波数信号（ＩＦ信号）としてデジタル復調回路部（Ｂ）３２Ｂへ伝えるものである。デジタル復調回路部（Ｂ）３２Ｂは、ＲＦチューナ回路部（Ｂ）３１Ｂから送られてくるＩＦ信号に基づき、信号復調処理や誤り訂正処理を行い、ＭＰＥＧ２ ＴＳに準拠するトランスポートストリーム信号（ＴＳ２信号）を生成して、これを調停回路４０の制御のもとで出力するものである。
【００３１】
デジタルＴＶ処理回路部３４は、デジタルＴＶチューナモジュール（Ａ）３３Ａから出力されるＴＳ１信号とデジタルＴＶチューナモジュール（Ｂ）３３Ｂから出力されるＴＳ２信号とを共通に入力してスクランブル解除を含む信号処理を行うものである。
【００３２】
バスインタフェース回路部３５は、デジタルＴＶ処理回路部３４により処理された信号をＰＣＩバスを介してＰＣメインロジック１１０へ伝送する制御を行うものである。ＰＣメインロジック１１０は、前述のＣＰＵ１１１やメインメモリ１１３などにより実現されるデータ処理機能（再生アプリケーション２０１などのソフトウェアを含む）に相当し、ＰＣＩバスを介してバスインタフェース回路部３５から送られてくる信号の再生処理や記録処理などを行うことができる。
【００３３】
調停回路４０は、例えば、デジタル復調回路部（Ａ）３２Ａとデジタル復調回路部（Ｂ）３２Ｂとの間に接続して設けられており、デジタル復調回路部（Ａ）３２Ａとデジタル復調回路部（Ｂ）３２Ｂのいずれとも制御情報などの通信を行えるようになっている。この調停回路４０は、デジタル復調回路部（Ａ）３２ＡにおけるＴＳ１信号の出力タイミング、およびデジタル復調回路部（Ｂ）３２ＢにおけるＴＳ２信号の出力タイミングに関して、調停を行うものである。
【００３４】
具体的には、上記調停回路４０は、ＴＳ１信号とＴＳ２信号とが所定のクロックに同期してパケット単位で交互にデジタルＴＶ処理回路部３４へ伝送されるようデジタル復調回路部（Ａ）３２Ａおよびデジタル復調回路部（Ｂ）３２Ｂの信号出力動作を制御する。この場合、調停回路４０は、図４に示されるように、ＴＳ１信号のパケットが連続して伝送される場合（従来）の速度もしくはＴＳ２信号のパケットが連続して伝送される場合（従来）の速度の２倍の速度で、ＴＳ１信号のパケットとＴＳ２信号のパケットとが交互に伝送されるよう制御する。このように、交互に送られるＴＳ１信号およびＴＳ２信号の転送レートを調整することにより、従来２つ設けていた既存のデジタルＴＶ処理回路部のうちの１つを設計変更することなくそのまま使用することができる。なお、ＴＳ１信号とＴＳ２信号とを分離する処理については、ＰＣメインロジック部１１０側で実行するができる。
【００３５】
図５は、図３に示されるデジタルキャプチャユニットの構成の変形例を示すブロック図である。ここでは、図３と異なる点について説明する。
【００３６】
図３の構成例では、調停回路４０がデジタル復調回路部（Ａ）３２Ａとデジタル復調回路部（Ｂ）３２Ｂとの間に接続して設けられていたが、この図５の構成例では、調停回路４０Ａがデジタル復調回路部（Ａ）３２Ａの中に内蔵されている（もしくは、調停回路４０Ｂがデジタル復調回路部（Ｂ）３２Ｂの中に内蔵されている）。これにより、実装スペースをより効率的に使用していることになる。なお、調停回路４０Ａ（もしくは調停回路４０Ｂ）がデジタル復調回路部（Ａ）３２Ａとデジタル復調回路部（Ｂ）３２Ｂのいずれとも制御情報などの通信を行えるように構成しておく。その他の構成や処理内容については、図３と同様である。
【００３７】
次に、図６のタイミングチャートを参照して、本実施形態の調停回路を中心にした動作について説明する。ここでは、図３に示される調停回路４０が調停処理を行う場合を考える。
【００３８】
デジタル復調回路部（Ａ）３２Ａは、ＴＳ１信号を出力する準備ができた時点で、ＲＥＱ１信号をＨレベルにして調停回路４０に調停を要求する。調停回路４０は、このＲＥＱ１信号に対し、ｔ１のタイミングでＡＣＫ１信号をＨレベルにしてＴＳ１信号の出力を許可する。これにより、デジタル復調回路部（Ａ）３２Ａは、ＴＳ１信号の出力を有効にし、基準速度の２倍の速度でＴＳ１信号を出力する。
【００３９】
次いで、デジタル復調回路部（Ｂ）３２Ｂは、ＴＳ２信号を出力する準備ができた時点で、ＲＥＱ２信号をＨレベルにして調停回路４０に調停を要求する。この時点では、ＲＥＱ１信号に対してＴＳ１信号の出力を許可している状態にあるため、ＴＳ２信号の出力はまだ許可されない。すなわち、ＡＣＫ１信号はＬレベルであり、ＴＳ２信号に出力は無効の状態である。
【００４０】
ＴＳ１信号の１パケット分の転送が完了すると、デジタル復調回路部（Ａ）３２Ａは、一旦、ＲＥＱ１信号をＬレベルにして要求を取り下げる。これにより、調停回路４０は、ＨレベルのＲＥＱ２信号に対し、ｔ２のタイミングでＡＣＫ２信号をＨレベルにしてＴＳ２信号の出力を許可し、一方、ＡＣＫ１信号をＬレベルにしてＴＳ１信号の出力を禁止する。これにより、デジタル復調回路部（Ｂ）３２Ｂは、ＴＳ２信号の出力を有効にし、基準速度の２倍の速度でＴＳ２信号を出力する。  
以降、同様な動作が繰り返されることとなる。
【００４１】
このように本実施形態では、ＴＳ１信号のパケットが連続して伝送される場合（従来）の速度もしくはＴＳ２信号のパケットが連続して伝送される場合（従来）の速度の２倍の速度で、１つのデジタルＴＶ処理回路部３４へ、ＴＳ１信号のパケットとＴＳ２信号のパケットとが交互に伝送されるよう制御される。このように、交互に送られるＴＳ１信号およびＴＳ２信号の転送レートを調整することにより、従来２つ設けていた既存のデジタルＴＶ処理回路部のうちの１つを設計変更することなくそのまま使用することが可能となる。その結果、デジタルＴＶキャプチャユニットの小型化・消費電力の低減・コストの低減を容易に実現することができる。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４３】
【図１】本発明の一実施形態に係るコンピュータのディスプレイユニットを開いた状態における正面図。
【図２】同コンピュータのシステム構成を示す図。
【図３】図１中に示されるデジタルＴＶキャプチャユニットのハードウェア構成の一例を示すブロック図。
【図４】ＴＳ１信号のパケットとＴＳ２信号のパケットとが交互に伝送される様子を示す図。
【図５】図３に示されるデジタルキャプチャユニットの構成の変形例を示すブロック図。
【図６】同実施形態の調停回路を中心にした動作を示すタイミングチャート。
【符号の説明】
【００４４】
３３Ａ…デジタルＴＶチューナモジュール（Ａ）、３３Ｂ…デジタルＴＶチューナモジュール（Ｂ）、３４…デジタルＴＶ処理回路部、３５…バスインタフェース回路部、４０，４０Ａ，４０Ｂ…調停回路、１１０…ＰＣメインロジック部、１１１…ＣＰＵ、１１３…メインメモリ、１１４…グラフィクスコントローラ、１２３…デジタルＴＶキャプチャユニット、２０１…再生アプリケーション。
【図１】
2008011085.tif 000003
【図２】
2008011085.tif 000004
【図３】
2008011085.tif 000005
【図４】
2008011085.tif 000006
【図５】
2008011085.tif 000007
【図６】
2008011085.tif 000008